(57)【要約】      （修正有）【課題】次回の使用のためのラップが使いやすく出ていて、且つカッターがラップケースより内側にあって安全なラップケースを提供する。【解決手段】ロールケース本体とケース蓋を有するカッター付きロール収納ケースにおいて、ケース蓋の短辺の長さはロールケース２の短辺よりも短く、その短くする長さはロールケース内径寸法からロールラップ外形寸法を引いた長さより短いケース蓋であり、ロールケース本体は上面の両端箇所の長辺が回動可能となったロール収納ケースであり、ラップフィルム７をロールケース２から取り出し易く、ロールケース２を握るとフィルムカッターがロールケース外形より突き出ていて切り易く、手を放すとフィルムカッターがロールケース２より引き込むことを特徴とするカッター付きロール収納ケース。【選択図】図３
2010111433.tif 000002
【特許請求の範囲】
【請求項１】
ロールケース本体とケース蓋を有するカッター付きロール収納ケースにおいて、ケース蓋はケース蓋のロールケース本体側の角からケース蓋の短辺長さの半分までの位置にケース蓋の長辺と平行にフィルム取出開口部を有し、その先にフィルムを保持するフィルム台、先端にフィルムカッターの順に設けられたケース蓋であり、ケース蓋の短辺の長さはロールケースの短辺よりも短く、その短くする長さはロールケース内径寸法からロールラップ外形寸法を引いた長さより短いケース蓋であり、ロールケース本体は上面の両端２箇所の長辺が回動可能となったロール収納ケースであり、ラップフィルムをロールケースから取り出し易く、ロールケースを握るとフィルムカッターがロールケース外形より突き出ていて切り易く、手を放すとフィルムカッターがロールケースより引き込むことを特徴とするカッター付きロール収納ケース。
【請求項２】
請求項１のフィルム台又はフィルムカッターの表面がフィルムと貼り付き易い表面材質となったカッター付きロール収納ケース。
【請求項３】
ラップフィルムを取り出す開口部がロールの剥がれる箇所のほぼ接線方向に位置し、ロールケースの長辺と平行な開口部を有する請求項１のカッター付きロール収納ケース。
【発明の詳細な説明】
【技術分野】
【０００１】  本発明は切断し易く又次回の使用に対して取り易く安全なロール収納ケースに関する。
【背景技術】
【０００２】  従来のラップケースは、ラップがラップ蓋の下側を通ってラップ蓋に付いたカッターで切るため、ラップの末端を次回の使用時にラップ蓋の下から探す必要があり、ラップを引出すための作業が必要だった。又ラップ蓋が未使用時に開いていて、ラップの末端が固定されていないため、ラップが巻き戻ってしまい、シートの端末をロール状のラップから引き剥がす必要が発生することがあった。
押圧によってケースが入り込む構成としたものは、ケース蓋とケース本体のガイド片の間からラップが引っかかって出にくいという問題があった。
【特許文献１】  特開２００１−２９２５９
【特許文献２】  特開２００７−１６１２８４
【発明の開示】
【発明が解決しようとする課題】
【０００３】  本発明は上記に鑑みて、次回の使用のためのラップフィルムが巻き戻ることなくフィルム台の上に固定されて出ているため摘み易くフィルムを引出すのがスムーズで、且つフィルムカッターはロールケースを手で握る使用時のみロールケースより出ていて、未使用時にはロールケースより内側にあって安全で使い易いロール収納ケースを提供することにある。
【課題を解決するための手段】
【０００４】  ロールケース本体とケース蓋を有するカッター付きロール収納ケースにおいて、ケース蓋はケース蓋のロールケース本体側の角からケース蓋の短辺長さの半分までの位置にケース蓋の長辺と平行にフィルム取出開口部を有し、その先にフィルムを保持するフィルム台、先端にフィルムカッターの順に設けられたケース蓋であり、ケース蓋の短辺の長さはロールケースの短辺よりも短く、その短くする長さはロールケース内径寸法からロールラップ外形寸法を引いた長さより短いケース蓋であり、ロールケース本体は上面の両端２箇所の長辺が回動可能となったロール収納ケースであり、ラップフィルムをロールケースから取り出し易く、ロールケースを握るとフィルムカッターがロールケース外形より突き出ていて切り易く、手を放すとフィルムカッターがロールケースより引き込むことを特徴とするカッター付きロール収納ケース。【０００５】  請求項１のフィルム台又はフィルムカッターの表面がフィルムと貼り付き易い表面材となったカッター付きロール収納ケース。【０００６】  ラップフィルムを取り出す開口部がロールの剥がれる箇所のほぼ接線方向に位置し、ロールケースの長辺と平行な開口部を有する請求項１のカッター付きロール収納ケース。
【発明の効果】
【０００５】  図３において、フィルム切断時の荷重はロールケース側となるためロールケース本体の強度でフィルム切断時の荷重を持たせることができ、人差指から小指までの４本で多くの面で持つことが出来て切り易い。このためケース蓋の強度が低減できる。
ラップフィルムをロールケースから引出す時は、ケース蓋面を上に向けてケースを持つと、ロールが回転しやすくフィルム取出開口部から容易に引出せる。次回の使用時に切断されたラップフィルムの末端はフィルム台上に貼付いているため次回の使用に取り易い。
ロールケースを手で圧縮して掴むとフィルムカッターがロールケースの角より外側に出て切り易くなり、切った後に手を放せばロールケースの復元力によってフィルムカッターがロールケース角より自然に内側に引き込むため便利で安全である。
【発明を実施するための最良の形態】
【０００６】  図１においてロールラップ（３）はロールケース（２）に固定されずに収納されている。ロールケース（２）はケース蓋（１）の部分が二重になっている。ケース蓋（１）とフィルム台（５）フィルムカッター（６）は一体構造となっており、中間にフィルム取出開口部（４）が設けられている。フィルム台（５）はラップフィルム（７）と同じ材質かフィルム（７）と貼り付きやすい材質である。ロールケース（２）は切断時に掛かる強度に耐える材質である。フィルムカッター（６）は金属又はプラスチック製で表面が滑らかなものでロールラップ（３）と密着しやすい材質が良い。
ロールケース（２）の寸法記号を図２に示す。ラップ蓋の短辺長さ（ａ）はロールケース短辺外形長さ（ｅ）より短くし未使用時はフィルムカッター（６）はロールケース（２）より内側に引き込んでいる。ロールケース（２）を手で圧縮して握るとラップ蓋（１）の短辺が短いため、フィルムカッター（６）がロールケース（２）の外側に出る。握ったときにフィルムカッター（６）がロールケース（２）より外に出るには（ｅ−ｃ）＞（ｄ−ａ）とする。【０００７】  使用の最初には、フィルム取出し開口部（４）の内側から外側にラップフィルム（７）を通す。図３においてラップフィルム（７）はフィルム取出開口部（４）より外側に出て、フィルム台（５）の上を通りフィルムカッター（６）にて切断される。次回からのラップフィルム（７）はフィルム台（５）に貼り付いているのでそのラップフィルム（７）を剥がして引出す。ラップの引き出しはラップの剥がれ部に対してほぼ接線の延長方向にフィルム取出開口部（４）があるためラップがスムーズに剥がれて出てくる。切断する時はフィルム台（５）でラップフィルム（７）を押さえ、ロールケース（２）を握るとフィルムカッター（６）がロールケース（２）の外側に出るのでラップフィルム（７）をフィルムカッター（６）に当てて、ロールケース（２）側に引張って切断する。手を放すとフィルムカッター（６）はロールケースの復元力でロールケース（２）より内側の初期の位置に戻り、フィルムカッターはフィルムで覆われているため安全である。
ケース蓋はラップフィルム（７）がフィルム台（５）に張り付いているため、未使用時に開いてしまうことを防止できる。ラップフィルムの末端は、次回の使用までフィルム台に貼り付いているので、フィルムの巻き戻しやフィルムを探したりすること無く使用できる。
【他の実施形態】
【０００７】  図４においてロールラップ（３）の剥がれ口を上に保持し、開口部の位置をラップの剥がれ口の接線延長方向にすればフィルム取出開口部（４）をロールケース上面又は底面にしても、容易にラップフィルムを取り出すことが出来る。
【図面の簡単な説明】
【０００８】
【図１】ロールケースの正面図
【図２】ロールケース側面の断面図
【図３】フィルムを切る時の側面図
【図４】フィルム取出開口部が上面の場合の側面図
【符号の説明】
【０００９】１  ケース蓋                          ２  ロールケース
２ｂ  ロールケース蓋内側              ２ｃ  ロールケース上面
２ｄ  ロールケース側面                ２ｅ  ロールケース底面
３  ロールラップ                      ４  フィルム取出開口部
５  フィルム台                        ６  フィルムカッター
７  ラップフィルム                    ８  ロール芯棒
ａ  ケース蓋からカッターまでの寸法    ｂ  ロールケース寸法（ラップ台内側）
ｃ  ロール外径寸法                    ｄ  ロールケース内径寸法
ｅ  ロールケース外径寸法              ｆ  ラップ剥がれ部の接線方向
【図１】
2010111433.tif 000003
【図２】
2010111433.tif 000004
【図３】
2010111433.tif 000005
【図４】
2010111433.tif 000006